(57)【要約】【課題】各トレイに載置された各シートを適切に処理可能な搬送装置することにある。【解決手段】当該装置は、シートを搬送向きに搬送する搬送部と、シートを支持可能な第１トレイと、搬送部に当接した状態のシートを支持可能な第２トレイと、第１トレイに支持されたシートを搬送部へ給送する給送部と、第１トレイ上にシートが存在することを示す第１信号を出力する第１センサと、第１トレイ及び第２トレイから搬送部へ向かうシートが通過する位置にシートが存在することを示す第２信号を出力する第２センサと、第１信号が出力され、且つ当該第１信号が出力されてから閾値時間が経過する前に第２信号が出力されたことに応じて（Ｓ１２：Ｎｏ＆Ｓ１３：Ｙｅｓ）、第１トレイに支持されたシートを除去することを報知する（Ｓ１４）制御部とを備える。【選択図】図６
2015189547.tif 000002
【特許請求の範囲】
【請求項１】
シートを搬送向きに搬送する搬送部と、
上記搬送部より上記搬送向きの上流側に配置されており、シートを支持可能な第１トレイと、
上記搬送部より上記搬送向きの上流側に配置されており、上記搬送部に当接した状態のシートを支持可能な第２トレイと、
上記第１トレイに支持されたシートを上記搬送部へ給送する給送部と、
上記第１トレイ上にシートが存在することを示す第１信号を出力する第１センサと、
上記第１トレイ及び上記第２トレイから上記搬送部へ向かうシートが通過する位置に配置されており、当該位置にシートが存在することを示す第２信号を出力する第２センサと、
上記第１信号が出力され、且つ当該第１信号が出力されてから閾値時間が経過する前に上記第２信号が出力されたことに応じて、上記第１トレイに支持されたシートを除去することを報知するシート除去報知処理を実行する制御部と、を備える搬送装置。
【請求項２】
上記搬送部は、互いに対向する一対のローラを有しており、
上記制御部は、上記第１信号が出力され、且つ当該第１信号が出力されてから閾値時間が経過した後に上記第２信号が出力されたことに応じて、上記搬送部に当接されたシートを上記一対のローラに挟持させるニップ処理を実行する請求項１に記載の搬送装置。
【請求項３】
上記制御部は、上記第２信号が出力され、且つ当該第２信号が出力された時点において上記第１信号が出力されていないことに応じて、上記ニップ処理を実行する請求項２に記載の搬送装置。
【請求項４】
上記第１トレイは、積層された複数のシートを支持可能であり、
該搬送装置は、上記第１トレイに支持された複数のシートのうちの１枚のシートを、他のシートから分離して上記給送部に給送させる分離機構を備える請求項１から３のいずれかに記載の搬送装置。
【請求項５】
請求項１から４のいずれかに記載の搬送装置と、
上記搬送部によって搬送されたシートに画像を記録する記録部と、を備えており、
上記制御部は、
上記第１トレイに支持されたシートに画像を記録する記録指示を取得する記録指示取得処理と、
上記記録指示が取得され且つ上記第１信号が出力されていないことに応じて、上記第１トレイにシートが支持されていないことを報知するシート無し報知処理と、
上記シート無し報知処理の後に上記第１信号が出力され、且つ当該第１信号が出力されてから上記閾値時間が経過する前に上記第２信号が出力されたことに応じて、上記シート除去報知処理と、を実行する画像記録装置。
【請求項６】
上記制御部は、
上記シート無し報知処理の後に上記第１信号が出力され、且つ当該第１信号が出力されてから上記閾値時間が経過する前に上記第２信号が出力されないことに応じて、上記記録指示に従ってシートに画像を記録する処理を再開する再開指示を取得する再開指示取得処理と、
上記再開指示が取得されたことに応じて、上記給送部、上記搬送部、及び上記記録部を制御して上記第１トレイに支持されたシートに画像を記録する記録処理と、を実行する請求項５に記載の画像記録装置。
【請求項７】
上記制御部は、
上記再開指示が取得され且つ上記第２信号が出力されていることに応じて、上記第２トレイに支持されたシートを除去することを報知する再開時シート除去報知処理と、
上記再開時シート除去報知処理の後に上記第２信号が出力されていないことに応じて、上記記録処理と、を実行する請求項６に記載の画像記録装置。
【発明の詳細な説明】
【技術分野】
【０００１】
本発明は、複数のトレイそれぞれに支持されたシートを搬送する搬送装置、及び当該搬送装置によって搬送されたシートに画像を記録する画像記録装置に関する。
【背景技術】
【０００２】
従来より、複数のトレイに支持されたシートに画像を記録する画像記録装置が知られている。例えば特許文献１には、積層された複数のシートを支持可能な用紙載置台と、用紙検出センサの位置まで挿入されたシートを支持する手差しトレイとを備えるインクジェットプリンタが開示されている。
【０００３】
特許文献１に記載されたインクジェットプリンタは、記録指示を取得したタイミングで用紙検出センサがＯＮであることに応じて、手差しトレイに支持されたシートを印字ヘッドに対面する位置まで第１送りローラに搬送させる。一方、当該インクジェットプリンタは、用紙載置台に支持されたシートに画像を記録する記録指示を取得したことに応じて、用紙載置台上のシートを第１送りローラに到達する位置まで給送ローラに給送させる。
【先行技術文献】
【特許文献】
【０００４】
【特許文献１】特開２００４−１２３２３８号公報
【発明の概要】
【発明が解決しようとする課題】
【０００５】
しかしながら、特許文献１のインクジェットプリンタでは、ユーザが用紙載置台の奥までシートを挿入することにより、当該シートが用紙検出センサで検出されてしまう可能性がある。この状態で記録指示を取得したインクジェットプリンタは、手差しトレイにシートが支持されているものとして処理を実行する。その結果、シートを印字ヘッドの位置まで適切に搬送できない可能性がある。
【０００６】
本発明は、上記の課題に鑑みてなされたものであり、その目的は、各トレイに載置された各シートを適切に処理可能な搬送装置及び画像記録装置を提供することにある。
【課題を解決するための手段】
【０００７】
(1)  本発明に係る搬送装置は、シートを搬送向きに搬送する搬送部と、上記搬送部より上記搬送向きの上流側に配置されており、シートを支持可能な第１トレイと、上記搬送部より上記搬送向きの上流側に配置されており、上記搬送部に当接した状態のシートを支持可能な第２トレイと、上記第１トレイに支持されたシートを上記搬送部へ給送する給送部と、上記第１トレイ上にシートが存在することを示す第１信号を出力する第１センサと、上記第１トレイ及び上記第２トレイから上記搬送部へ向かうシートが通過する位置に配置されており、当該位置にシートが存在することを示す第２信号を出力する第２センサと、上記第１信号が出力され、且つ当該第１信号が出力されてから閾値時間が経過する前に上記第２信号が出力されたことに応じて、上記第１トレイに支持されたシートを除去することを報知するシート除去報知処理を実行する制御部とを備える。
【０００８】
(2)  好ましくは、上記搬送部は、互いに対向する一対のローラを有する。そして、上記制御部は、上記第１信号が出力され、且つ当該第１信号が出力されてから閾値時間が経過した後に上記第２信号が出力されたことに応じて、上記搬送部に当接されたシートを上記一対のローラに挟持させるニップ処理を実行する。
【０００９】
(3)  好ましくは、上記制御部は、上記第２信号が出力され、且つ当該第２信号が出力された時点において上記第１信号が出力されていないことに応じて、上記ニップ処理を実行する。
【００１０】
(4)  好ましくは、上記第１トレイは、積層された複数のシートを支持可能である。そして、該搬送装置は、上記第１トレイに支持された複数のシートのうちの１枚のシートを、他のシートから分離して上記給送部に給送させる分離機構を備える。
【００１１】
(5)  本発明に係る画像記録装置は、上記記載の搬送装置と、上記搬送部によって搬送されたシートに画像を記録する記録部とを備える。そして、上記制御部は、上記第１トレイに支持されたシートに画像を記録する記録指示を取得する記録指示取得処理と、上記記録指示が取得され且つ上記第１信号が出力されていないことに応じて、上記第１トレイにシートが支持されていないことを報知するシート無し報知処理と、上記報知処理の後に上記第１信号が出力され、且つ当該第１信号が出力されてから上記閾値時間が経過する前に上記第２信号が出力されたことに応じて、上記シート除去報知処理とを実行する。
【００１２】
(6)  好ましくは、上記制御部は、上記シート無し報知処理の後に上記第１信号が出力され、且つ当該第１信号が出力されてから上記閾値時間が経過する前に上記第２信号が出力されないことに応じて、上記記録指示に従ってシートに画像を記録する処理を再開する再開指示を取得する再開指示取得処理と、上記再開指示が取得されたことに応じて、上記給送部、上記搬送部、及び上記記録部を制御して上記第１トレイに支持されたシートに画像を記録する記録処理とを実行する。
【００１３】
(7)  好ましくは、上記制御部は、上記再開指示が取得され且つ上記第２信号が出力されていることに応じて、上記第２トレイに支持されたシートを除去することを報知する再開時シート除去報知処理と、上記再開時シート除去報知処理の後に上記第２信号が出力されていないことに応じて、上記記録処理とを実行する。
【発明の効果】
【００１４】
本発明によれば、各トレイに載置された各シートを適切に処理可能な搬送装置を得ることができる。
【図面の簡単な説明】
【００１５】
【図１】図１は、複合機１０の外観斜視図である。
【図２】図２は、プリンタ部１１の内部構造を模式的に示す縦断面図である。
【図３】図３は、キャリッジ２３及びガイドレール４３、４４の平面図である。
【図４】図４は、切替機構１７０の斜視図であって、（Ａ）は切替レバー１７６が第１位置に配置された状態、（Ｂ）は切替レバー１７６が第２位置に配置された状態を示す。
【図５】図５は、プリンタ部１１のブロック図である。
【図６】図６は、ＭＰ用紙検出処理のフローチャートである。
【図７】図７は、多用途トレイ３１に支持された用紙１２の状態を示す図であって、（Ａ）は多用途トレイ３１に用紙１２が適切に支持された状態、（Ｂ）は多用途トレイ３１に支持された用紙１２がレジストセンサ１２０に到達した状態を示す。
【図８】図８は、手差し印刷準備処理のフローチャートである。
【図９】図９は、手差しトレイ２２に支持された用紙１２の状態を示す図であって、（Ａ）は手差しトレイ２２に用紙１２が支持された状態、（Ｂ）は手差しトレイ２２に支持された用紙１２が搬送ローラ部５４に挟持された状態を示す。
【図１０】図１０は、画像記録処理のフローチャートである。
【発明を実施するための形態】
【００１６】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。さらに、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００１７】
［複合機１０の全体構成］
複合機１０は、図１に示されるように、概ね直方体に形成されている。複合機１０は、下部にインクジェット記録方式で用紙１２（図２参照）に画像を記録するプリンタ部１１と、表示部１４と、操作部１７とを有している。また、複合機１０は、ファクシミリ機能及びプリント機能などの各種の機能を有している。プリンタ部１１は、図２に示されるように、第１給送部１５と、第２給送部３４（給送部の一例）と、給送トレイ２０と、多用途トレイ３１（第１トレイの一例）と、手差しトレイ２２（第２トレイの一例）と、排出トレイ２１と、搬送ローラ部５４と、記録部２４と、排出ローラ部５５と、プラテン４２とを備えている。複合機１０は、インクジェット記録装置の一例である。
【００１８】
［給送トレイ２０、排出トレイ２１、手差しトレイ２２、多用途トレイ３１］
給送トレイ２０は、図１及び図２に示されるように、プリンタ部１１の正面に形成された開口１３を通じて前後方向８に挿抜される。給送トレイ２０は、積層された複数の用紙１２を支持する。排出トレイ２１は、給送トレイ２０の上側に配置されている。排出トレイ２１は、開口１３を通じて排出ローラ部５５によって排出された用紙１２を支持する。
【００１９】
手差しトレイ２２は、図１及び図２に示されるように、プリンタ部１１の背面側から後方へ向かって斜め上方に傾斜するように構成されており、その上面において用紙１２を１枚支持する。ユーザによって手差しトレイ２２に載置された用紙１２は、後述するレジストセンサ１２０の設置位置を経由して搬送ローラ部５４に到達される。すなわち、手差しトレイ２２は、搬送ローラ部５４に当接された状態の用紙１２を支持する。
【００２０】
多用途（Ｍｕｌｔｉ  Ｐｕｒｐｏｓｅ）トレイ３１は、図１及び図２に示されるように、プリンタ部１１の背面から後方へ向かって斜め上方に傾斜するように構成されている。多用途トレイ３１は、積層された複数の用紙１２を支持する。多用途トレイ３１には、当該多用途トレイ３１に支持された用紙１２の先端が当接し得る分離片３１Ａ（分離機構の一例）が設けられている。分離片３１Ａは、多用途トレイ３１の支持面と交差する方向に沿って凸凹に形成された複数の歯を有する。この分離片３１Ａは、多用途トレイ３１上に積層された複数の用紙１２のうちの１枚の用紙１２を、他の用紙１２から分離して第２給送部３４に給送させる。
【００２１】
［第１給送部１５、第２給送部３４］
第１給送部１５は、図２に示されるように、第１給送ローラ２５と、給送アーム２６と、軸２７とを備えている。第１給送ローラ２５は、給送アーム２６の先端側に回転可能に支持されている。第１給送ローラ２５は、搬送モータ１０２（図５参照）の逆転によって、給送トレイ２０に支持された用紙１２を搬送向き１６に搬送する向き（すなわち、正回転）に回転する。給送アーム２６は、プリンタ部１１のフレームに支持された軸２７に回動可能に支持されている。給送アーム２６は、自重或いはバネ等による弾性力によって給送トレイ２０側へ回動付勢されている。
【００２２】
第２給送部３４は、多用途トレイ３１上に積層された一番上の用紙１２をレジストセンサ１２０の設置位置を経由して搬送ローラ部５４に到達させる。このとき、多用途トレイ３１上に積層された下側の用紙１２は、分離片３１Ａの歯の作用によって、一番上の用紙１２に引き摺られることなく、多用途トレイ３１上に留まる。第２給送部３４を構成する第２給送ローラ３５、給送アーム３６、及び軸３７は、第１給送部１５の各構成要素とほぼ共通するので、再度の説明は省略する。
【００２３】
［搬送路６５］
搬送路６５は、図２に示されるように、その一部がプリンタ部１１の内部において、所定間隔で対向する外側ガイド部材１８及び内側ガイド部材１９によって形成される空間を指す。搬送路６５は、給送トレイ２０の後端部（以下、「搬送路６５の始端」と表記する。）から排出トレイ２１に至る経路である。本実施形態における搬送路６５は、プリンタ部１１の後方側において下方から上方に延びつつＵターンする湾曲搬送路と、湾曲搬送路の上端（「搬送向き１６の下流側の端部」を指す。）から記録部２４を経て排出トレイ２１に至る直線搬送路とで構成される経路である。なお、搬送路６５内における用紙１２の搬送向き１６は、図２において一点鎖線の矢印で示されている。
【００２４】
給送トレイ２０に支持された用紙１２は、第１給送部１５によって給送されることにより、始端から搬送路６５に進入し、搬送向き１６に搬送される。また、多用途トレイ３１に支持された用紙１２は、第２給送部３４によって給送されることにより、搬送路６５の始端より搬送向き１６の下流側で且つレジストセンサ１２０の設置位置より搬送向き１６の上流側において搬送路６５に進入し、搬送向き１６に搬送される。さらに、手差しトレイ２２に支持された用紙１２は、搬送路６５の始端より搬送向き１６の下流側で且つレジストセンサ１２０の設置位置より搬送向き１６の上流側において搬送路６５に進入し、搬送ローラ部５４に到達する。
【００２５】
本実施形態において、多用途トレイ３１及び手差しトレイ２２に支持された用紙１２は、湾曲搬送路と直線搬送路との境界より湾曲搬送路側（すなわち、搬送向き１６の上流側）において、搬送路６５に進入する。なお、記録部２４が図２の位置より複合機１０の前方側に配置されている場合、多用途トレイ３１及び手差しトレイ２２は、各トレイに支持された用紙１２が直線搬送路に直接進入する位置に配置されていてもよい。
【００２６】
［搬送ローラ部５４］
搬送ローラ部５４は、図２に示されるように、記録部２４より搬送向き１６の上流側に配置されている。搬送ローラ部５４は、互いに対向する搬送ローラ６０及びピンチローラ６１（一対のローラの一例）を備える。搬送ローラ６０は、搬送モータ１０２によって駆動される。ピンチローラ６１は、搬送ローラ６０の回転に伴って連れ回る。用紙１２は、搬送モータ１０２の正転によって正回転する搬送ローラ６０及びピンチローラ６１に挟持されて搬送向き１６に搬送される。
【００２７】
［排出ローラ部５５］
排出ローラ部５５は、図２に示されるように、記録部２４より搬送向き１６の下流側に配置されている。排出ローラ部５５は、互いに対向する排出ローラ６２及び拍車６３を備える。排出ローラ６２は、搬送モータ１０２によって駆動される。拍車６３は、排出ローラ６２の回転に伴って連れ回る。用紙１２は、搬送モータ１０２の正転によって正回転する排出ローラ６２及び拍車６３に挟持されて搬送向き１６に搬送される。
【００２８】
なお、第１給送部１５、第２給送部３４、搬送ローラ部５４、及び排出ローラ部５５は、搬送部の一例を構成する。また、搬送部、手差しトレイ２２、及び多用途トレイ３１は、搬送装置の一例を構成する。
【００２９】
［レジストセンサ１２０］
プリンタ部１１は、図２に示されるように、搬送ローラ部５４より搬送向き１６の上流側に、レジストセンサ１２０（第２センサの一例）を備える。本実施形態におけるレジストセンサ１２０は、湾曲搬送路と直線搬送路との境界周辺に設置される。レジストセンサ１２０は、当該レジストセンサ１２０の設置位置に用紙１２が存在することを検知するためのセンサである。第１給送部１５によって給送された用紙１２、第２給送部３４によって給送された用紙１２、及び手差しトレイ２２に支持された用紙１２は、レジストセンサ１２０の設置位置を通過して搬送ローラ部５４に到達する。
【００３０】
レジストセンサ１２０は、用紙１２が設置位置に存在していることに応じて、ローレベル信号（第２信号の一例であって、「信号レベルが閾値未満の信号」を指す。）を後述する制御部１３０（図５参照）に出力する。一方、レジストセンサ１２０は、用紙１２が設置位置に存在していないことに応じて、ハイレベル信号（「信号レベルが閾値以上の信号」を指す。）を制御部１３０に出力する。以下、レジストセンサ１２０からローレベル信号が出力されている状態を「レジアクティブ状態」と表記し、レジストセンサ１２０からハイレベル信号が出力されている状態を「レジ非アクティブ状態」と表記する。
【００３１】
［ロータリエンコーダ１２１］
また、プリンタ部１１は、図５に示されるように、搬送ローラ６０の回転（換言すれば、搬送モータ１０２の回転）に応じてパルス信号を発生させる公知のロータリエンコーダ１２１を備える。ロータリエンコーダ１２１は、エンコーダディスクと、光学センサとを備える。エンコーダディスクは、搬送ローラ６０の回転と共に回転する。光学センサは、回転するエンコーダディスクを読み取ってパルス信号を生成し、生成したパルス信号を制御部１３０に出力する。
【００３２】
［トレイセンサ１２５］
多用途トレイ３１には、図２に示されるように、トレイセンサ１２５（第１センサの一例）が設けられている。トレイセンサ１２５は、多用途トレイ３１上に用紙１２が存在することを検知するためのセンサである。トレイセンサ１２５は、多用途トレイ３１に用紙１２が支持されていることに応じて、ローレベル信号（第１信号の一例）を制御部１３０に出力する。一方、トレイセンサ１２５は、多用途トレイ３１に用紙１２が支持されていないことに応じて、ハイレベル信号を制御部１３０に出力する。以下、トレイセンサ１２５からローレベル信号が出力されている状態を「ＭＰアクティブ状態」と表記し、トレイセンサ１２５からハイレベル信号が出力されている状態を「ＭＰ非アクティブ状態」と表記する。
【００３３】
［記録部２４］
記録部２４は、図２に示されるように、搬送向き１６における搬送ローラ部５４及び排出ローラ部５５の間に配置されている。また、記録部２４は、上下方向７においてプラテン４２に対向するようにして配置されている。記録部２４は、キャリッジ２３と、記録ヘッド３９とを備えている。また、キャリッジ２３からは、図３に示されるように、インクチューブ３２及びフレキシブルフラットケーブル３３が延出されている。インクチューブ３２は、インクカートリッジのインクを記録ヘッド３９に供給する。フレキシブルフラットケーブル３３は、制御部１３０が実装された制御基板と記録ヘッド３９とを電気的に接続する。
【００３４】
キャリッジ２３は、図３に示されるように、前後方向８に離間する位置において各々が左右方向９に延設されたガイドレール４３、４４に支持されている。キャリッジ２３は、ガイドレール４４に設けられた公知のベルト機構に連結されている。なお、このベルト機構は、キャリッジモータ１０３（図８参照）によって駆動される。つまり、キャリッジモータ１０３の駆動により周運動するベルト機構に連結されたキャリッジ２３は、左右方向９に沿う主走査方向へ往復移動することができる。
【００３５】
記録ヘッド３９は、図２に示されるように、キャリッジ２３に搭載されている。記録ヘッド３９の下面には、複数のノズル４０が形成されている。記録ヘッド３９は、ノズル４０からインクを微小なインク滴として吐出する。キャリッジ２３が移動する過程において、プラテン４２に支持されている用紙１２に対して記録ヘッド３９がインク滴を吐出する。これにより、用紙１２に画像が記録される。
【００３６】
［プラテン４２］
プラテン４２は、図２に示されるように、搬送向き１６における搬送ローラ部５４及び排出ローラ部５５の間に配置されている。プラテン４２は、上下方向７において記録部２４に対向するようにして配置されており、搬送ローラ部５４によって搬送される用紙１２を下側から支持する。
【００３７】
［駆動力伝達機構１０４］
図５に示される駆動力伝達機構１０４は、搬送モータ１０２の駆動力を、第１給送ローラ２５、第２給送ローラ３５、搬送ローラ６０、及び排出ローラ６２へ伝達する。駆動力伝達機構１０４は、歯車、プーリ、無端環状のベルト、遊星歯車機構（振子ギヤ機構）、及びワンウェイクラッチ等の全部又は一部を組み合わせて構成される。また、駆動力伝達機構１０４は、搬送モータ１０２の駆動力の伝達先を切り替える切替機構１７０を備えている。但し、搬送モータ１０２の駆動力の伝達先を切り替える具体的な構成は、以下の例に限定されない。
【００３８】
［切替機構１７０］
切替機構１７０は、搬送ローラ６０を通じて伝達された搬送モータ１０２の駆動力を、第１給送ローラ２５に伝達し且つ第２給送ローラ３５に伝達しない第１駆動状態と、第１給送ローラ２５に伝達せず且つ第２給送ローラ３５に伝達する第２駆動状態とに切り替え可能に構成されている。切替機構１７０は、図３に示されるように、プラテン４２よりも右側に設けられている。切替機構１７０は、図４に示されるように、切替ギヤ１７１と、２つの受けギヤ１７２Ａ、１７２Ｂと、保持部１７３と、押圧部材１７５と、切替レバー１７６とを備える。
【００３９】
切替ギヤ１７１は、支軸１７４を中心として回転可能で且つ支軸１７４の軸方向（すなわち、左右方向９）に沿って移動可能である。切替ギヤ１７１には、搬送モータ１０２の駆動力が搬送ローラ６０を通じて伝達される。受けギヤ１７２Ａ、１７２Ｂは、支軸１７４の下側において左右方向９に沿った同軸上で回転可能であり、切替ギヤ１７１に噛合可能に構成されている。すなわち、切替ギヤ１７１は、左右方向９に移動することによって、受けギヤ１７２Ａ、１７２Ｂのいずれかと噛合する。受けギヤ１７２Ａは、搬送モータ１０２の駆動力を第１給送ローラ２５に伝達するギヤである。一方、受けギヤ１７２Ｂは、搬送モータ１０２の駆動力を第２給送ローラ３５に伝達するギヤである。
【００４０】
押圧部材１７５は、切替ギヤ１７１の右側に配置されており、左右方向９にスライド自在に支軸１７４に挿通されている。切替レバー１７６は、押圧部材１７５から上方に突出し、保持部１７３を通ってキャリッジ２３の移動経路にまで延びている。切替ギヤ１７１は第１バネによって右向きに付勢され、押圧部材１７５は第２バネによって左向きに付勢されている。また、第２バネの付勢力は、第１バネの付勢力より大きい。その結果、図４に示される切替ギヤ１７１及び押圧部材１７５は、左向きに付勢されている。
【００４１】
切替レバー１７６が図４（Ａ）に示される第１位置に保持部１７３によって保持されている時、切替ギヤ１７１は、受けギヤ１７２Ａと噛合する。右方に移動するキャリッジ２３に当接された切替レバー１７６は、押圧部材１７５を右方に移動させる。このとき、第１バネの付勢力により、切替ギヤ１７１は押圧部材１７５の移動に伴って右方に移動する。そして、切替レバー１７６が図４（Ｂ）に示される第２位置に保持部１７３によって保持されている時、切替ギヤ１７１は、受けギヤ１７２Ｂと噛合する。さらに、キャリッジ２３によって切替レバー１７６が保持部１７３の右端（第３位置の一例）まで移動され且つキャリッジ２３に離間された切替レバー１７６は、第２バネの付勢力によって図４（Ａ）に示される第１位置に復帰する。
【００４２】
切替ギヤ１７１と受けギヤ１７２Ａとが噛合されている状態（すなわち、図４（Ａ）に示される第１駆動状態）において、駆動力伝達機構１０４は、搬送モータ１０２の駆動力を第１給送ローラ２５に伝達し且つ第２給送ローラ３５に伝達しない。一方、切替ギヤ１７１と受けギヤ１７２Ｂとが噛合されている状態（すなわち、図４（Ｂ）に示される第２駆動状態）において、駆動力伝達機構１０４は、搬送モータ１０２の駆動力を第２給送ローラ３５に伝達し且つ第１給送ローラ２５に伝達しない。
【００４３】
また、駆動力伝達機構１０４は、搬送モータ１０２の正転駆動力を第１給送ローラ２５へ伝達せず、搬送モータ１０２の逆転によって第１給送ローラ２５を正回転させる。この第１給送ローラ２５の動作は、搬送モータ１０２と第１給送ローラ２５との間の駆動力の伝達経路に設けられたワンウェイクラッチ、振子ギヤ機構、或いは電磁クラッチ機構等によって実現できる。なお、第２給送ローラ３５に対する駆動力の伝達についても同様である。
【００４４】
［表示部１４］
表示部１４は、ユーザに報知すべき情報をメッセージ或いはアニメーションとして表示する表示画面を備える。表示部１４の具体的な構成は特に限定されないが、例えば、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００４５】
［操作部１７］
操作部１７は、複合機１０に対する指示の入力をユーザから受け付ける入力インタフェースである。操作部１７の具体的な構成は特に限定されないが、例えば複数の押しボタンを有していてもよいし、図１に示されるように表示部１４の表示画面に重畳されたタッチセンサを有していてもよい。
【００４６】
［制御部１３０］
制御部１３０は、図５に示されるように、ＣＰＵ１３１、ＲＯＭ１３２、ＲＡＭ１３３、ＥＥＰＲＯＭ１３４、及びＡＳＩＣ１３５を備えており、これらは内部バス１３７によって接続されている。ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。
【００４７】
ＡＳＩＣ１３５には、搬送モータ１０２及びキャリッジモータ１０３が接続されている。ＡＳＩＣ１３５は、各モータを回転させるための駆動信号を生成し、この駆動信号を元に各モータを制御する。各モータは、ＡＳＩＣ１３５からの駆動信号によって正転又は逆転する。例えば、制御部１３０は、搬送モータ１０２の駆動を制御して各ローラを駆動させる。また、制御部１３０は、キャリッジモータ１０３の駆動を制御してキャリッジ２３を往復移動させる。また、制御部１３０は、記録ヘッド３９を制御してノズル４０からインクを吐出させる。さらに、制御部１３０は、表示部１４にメッセージ或いはアニメーションを表示させる。
【００４８】
また、ＡＳＩＣ１３５には、レジストセンサ１２０と、ロータリエンコーダ１２１と、トレイセンサ１２５とが接続されている。制御部１３０は、レジストセンサ１２０から出力される第２信号と、ロータリエンコーダ１２１から出力されるパルス信号とに基づいて、用紙１２の位置を検知する。また、制御部１３０は、トレイセンサ１２５から出力される第１信号に基づいて、多用途トレイ３１上に用紙１２があることを検知する。さらに、制御部１３０は、操作部１７を通じてユーザから各種指示を取得する。
【００４９】
［複合機１０の動作］
以下、図６〜図１０を参照して、複合機１０の動作を説明する。なお、以下の各処理は、ＲＯＭ１３２に記憶されているプログラムをＣＰＵ１３１が読み出して実行してもよいし、制御部１３０に搭載されたハードウェア回路によって実現されてもよい。
【００５０】
［ＭＰ用紙検出処理］
図６及び図７を参照して、複合機１０によるＭＰ用紙検出処理を説明する。ＭＰ用紙検出処理は、多用途トレイ３１に用紙１２が適切に載置されたことを検出する処理である。制御部１３０は、複合機１０の待機状態において、ＭＰ非アクティブ状態からＭＰアクティブ状態に変化したことに応じて、ＭＰ用紙検出処理を実行する。なお、本実施形態における複合機１０の待機状態とは、例えば、後述する画像記録処理の実行中でない状態、或いは搬送モータ１０２が停止している状態を指す。
【００５１】
まず、制御部１３０は、ＭＰ非アクティブ状態からＭＰアクティブ状態に変化した時点において、レジアクティブ状態であることに応じて（Ｓ１１：Ｙｅｓ）、ＭＰ用紙検出処理を終了する。このときの状況は、例えば図９（Ｂ）に示されるように、手差しトレイ２２に用紙１２が支持されている状態において、ユーザによって多用途トレイ３１に用紙１２が載置されたことが考えられる。一方、制御部１３０は、ＭＰ非アクティブ状態からＭＰアクティブ状態に変化した時点において、レジ非アクティブ状態であることに応じて（Ｓ１１：Ｎｏ）、閾値時間が経過するか或いはレジ非アクティブ状態からレジアクティブ状態に変化するまで、以降の処理の実行を待機する（Ｓ１２、Ｓ１３）。
【００５２】
そして、制御部１３０は、レジ非アクティブ状態のまま閾値時間が経過したことに応じて（Ｓ１３：Ｎｏ＆Ｓ１２：Ｙｅｓ）、ＭＰ用紙検出処理を終了する。このときの状況は、例えば図７（Ａ）に示されるように、ユーザによって多用途トレイ３１に載置された用紙１２が、多用途トレイ３１に適切に支持されていると考えられる。なお、用紙１２が多用途トレイ３１に適切に支持されているとは、例えば、当該用紙１２の先端がレジストセンサ１２０の設置位置に到達していない状態を指し、好ましくは当該用紙１２の先端が分離片３１Ａに当接されている状態を指す。
【００５３】
一方、制御部１３０は、閾値時間が経過する前にレジ非アクティブ状態からレジアクティブ状態に変化したことに応じて（Ｓ１２：Ｎｏ＆Ｓ１３：Ｙｅｓ）、多用途トレイ３１に支持された用紙１２を除去することを報知する（Ｓ１４）。このときの状況は、例えば図７（Ｂ）に示されるように、ユーザによって多用途トレイ３１に載置された用紙１２が、分離片３１Ａを乗り越えてレジストセンサ１２０の設置位置に到達していると考えられる。ステップＳ１４の処理は、シート除去報知処理の一例である。報知の具体的な方法は特に限定されないが、例えば、表示部１４にメッセージ或いはアニメーションを表示してもよいし、複合機１０に設けられたスピーカからガイド音声を出力してもよい。
【００５４】
制御部１３０は、レジアクティブ状態からレジ非アクティブ状態に変化し且つＭＰアクティブ状態からＭＰ非アクティブ状態に変化するまで（Ｓ１５：Ｎｏ）、シート除去報知処理を繰り返し実行する。そして、制御部１３０は、レジ非アクティブ状態且つＭＰ非アクティブ状態となったことに応じて（Ｓ１５：Ｙｅｓ）、ＭＰ用紙検出処理を終了する。このときの状況は、例えば図７（Ｂ）に示される用紙１２が除去されたと考えられる。または、制御部１３０は、ステップＳ１５において、ＭＰアクティブ状態のままレジアクティブ状態からレジ非アクティブ状態に変化したことに応じて、ＭＰ用紙検出処理を終了してもよい。このときの状況は、例えば図７（Ｂ）に示される用紙１２の先端がレジストセンサ１２０の設置位置より搬送向き１６の上流側（より好ましくは、分離片３１Ａに当接する位置）まで引き抜かれたと考えられる。
【００５５】
［手差し印刷準備処理］
次に、図８及び図９を参照して、複合機１０による手差し印刷準備処理を説明する。手差し印刷準備処理は、ユーザによって手差しトレイ２２に載置された用紙１２を、当該用紙１２に対する画像記録処理が可能な状態にする処理である。制御部１３０は、複合機１０の待機状態において、レジ非アクティブ状態からレジアクティブ状態に変化したことに応じて、手差し印刷準備処理を実行する。
【００５６】
まず、制御部１３０は、レジ非アクティブ状態からレジアクティブ状態に変化した時点において、ＭＰ非アクティブ状態であることに応じて（Ｓ１６：Ｎｏ）、ニップ処理を実行する（Ｓ１８）。このときの状況は、例えば図９（Ａ）に示されるように、多用途トレイ３１に用紙１２が支持されていない状態において、ユーザによって手差しトレイ２２に載置された用紙１２がレジストセンサ１２０の設置位置に到達したと考えられる。ニップ処理は、図９（Ｂ）に示されるように、搬送ローラ部５４に当接された用紙１２を搬送ローラ６０及びピンチローラ６１に挟持させる処理である。制御部１３０は、ステップＳ１８において例えば、ロータリエンコーダ１２１から出力されるパルス信号の数が閾値数に達するまで搬送モータ１０２を正転させる。
【００５７】
一方、レジ非アクティブ状態からレジアクティブ状態に変化した時点でＭＰアクティブ状態である場合において（Ｓ１６：Ｙｅｓ）、制御部１３０は、ＭＰアクティブ状態に変化してから既に閾値時間が経過している（換言すれば、ＭＰアクティブ状態となってから閾値時間が経過した後にレジアクティブ状態に変化した）ことに応じて（Ｓ１７：Ｙｅｓ）、ニップ処理を実行する（Ｓ１８）。このときの状況は、例えば図７（Ａ）に示されるように、多用途トレイ３１に用紙１２が適切に支持されている状態において、ユーザによって手差しトレイ２２に用紙１２が載置されたと考えられる。
【００５８】
また、制御部１３０は、レジアクティブ状態に変化してから未だ閾値時間を経過していないことに応じて（Ｓ１７：Ｎｏ）、ステップＳ１８の処理を実行することなく手差し印刷準備処理を終了する。このときの状況は、例えば図７（Ｂ）に示されるように、ユーザによって多用途トレイ３１に載置された用紙１２が、分離片３１Ａを乗り越えてレジストセンサ１２０の設置位置に到達したと考えられる。この場合、制御部１３０は、ニップ処理（Ｓ１８）に代えて、シート除去報知処理（Ｓ１４）を実行する。
【００５９】
［画像記録処理］
次に、図１０を参照して、複合機１０による画像記録処理を説明する。画像記録処理は、給送トレイ２０、手差しトレイ２２、及び多用途トレイ３１のいずれかに支持された用紙１２に画像を記録する処理である。制御部１３０は、記録指示を取得したことに応じて、画像記録処理を開始する。記録指示の取得先は特に限定されないが、例えば、操作部１７を通じて取得してもよいし、通信部を通じて外部装置から取得してもよい。なお、記録指示は、用紙１２に記録される画像を示す画像データと、当該画像を記録する用紙１２の給送元（本実施形態では、給送トレイ２０又は多用途トレイ３１）を示す給送元情報とを含む。記録指示を取得する処理は、記録指示取得処理の一例である。
【００６０】
まず、制御部１３０は、記録指示を取得した時点においてレジアクティブ状態であることに応じて（Ｓ２１：Ｙｅｓ）、手差しトレイ２２に支持された用紙１２に画像を記録する（Ｓ２２）。なお、手差しトレイ２２に支持された用紙１２は、ニップ処理によって既に搬送ローラ６０及びピンチローラ６１に挟持されている。制御部１３０は、ステップＳ２２において、搬送ローラ部５４及び排出ローラ部５５に用紙１２を搬送向き１６に搬送させ、記録部２４にインク滴を選択的に吐出させる。記録処理の具体的な手順は公知なので、詳細な説明は省略する。
【００６１】
また、制御部１３０は、記録指示を取得した時点においてレジ非アクティブ状態であり（Ｓ２１：Ｎｏ）、且つ給送元情報が給送トレイ２０を示すことに応じて（Ｓ２３：給送トレイ）、給送トレイ２０に支持されている用紙１２に画像を記録する（Ｓ２４）。制御部１３０は、ステップＳ２４において、キャリッジ２３によって切替レバー１７６を第１位置に移動させ且つ第１給送ローラ２５を正回転させることによって、給送トレイ２０に支持された用紙１２を搬送ローラ部５４に到達させる。その後の処理は、ステップＳ２２と共通する。
【００６２】
さらに、制御部１３０は、給送元情報が多用途トレイ３１を示し（Ｓ２３：多用途トレイ）、且つＭＰアクティブ状態であることに応じて（Ｓ２５：Ｙｅｓ）、多用途トレイ３１に支持された用紙１２に画像を記録する（Ｓ２６）。制御部１３０は、ステップＳ２６において、キャリッジ２３によって切替レバー１７６を第２位置に移動させ且つ第２給送ローラ３５を正回転させることによって、多用途トレイ３１に支持された用紙１２を搬送ローラ部５４に到達させる。その後の処理は、ステップＳ２２と共通する。
【００６３】
一方、制御部１３０は、ＭＰ非アクティブ状態であることに応じて（Ｓ２５：Ｎｏ）、多用途トレイ３１上に用紙１２が無いことを報知する（Ｓ２７）。また、制御部１３０は、ステップＳ２７において、多用途トレイ３１に用紙１２を載置することをユーザに促してもよい。報知の方法は、ステップＳ１４と共通であってもよい。ステップＳ２７の処理は、シート無し報知処理の一例である。制御部１３０は、ＭＰ非アクティブ状態からＭＰアクティブ状態に変化するか（Ｓ２８：Ｙｅｓ）、或いは記録指示がキャンセルされるまで（図示省略）、シート無し報知処理を繰り返し実行する。
【００６４】
次に、制御部１３０は、ステップＳ２７を実行した後にＭＰ非アクティブ状態からＭＰアクティブ状態に変化し（Ｓ２８：Ｙｅｓ）、且つＭＰアクティブ状態となってから閾値時間が経過する前にレジ非アクティブ状態からレジアクティブ状態に変化したことに応じて（Ｓ２９：Ｎｏ＆Ｓ３０：Ｙｅｓ）、多用途トレイ３１に支持された用紙１２を除去することを報知する（Ｓ３１）。このときの状況は、例えば図７（Ｂ）に示されるように、ユーザによって多用途トレイ３１に載置された用紙１２が、分離片３１Ａを乗り越えてレジストセンサ１２０の設置位置に到達していると考えられる。また、ステップＳ３１の処理内容は、図６のステップＳ１４の処理と共通する。
【００６５】
そして、制御部１３０は、レジアクティブ状態からレジ非アクティブ状態に変化し且つＭＰアクティブ状態からＭＰ非アクティブ状態に変化するまで（Ｓ３２：Ｎｏ）、シート除去報知処理を繰り返し実行する。そして、制御部１３０は、レジ非アクティブ状態且つＭＰ非アクティブ状態となったことに応じて（Ｓ３２：Ｙｅｓ）、シート無し報知処理を再び実行する（Ｓ２７）。
【００６６】
一方、制御部１３０は、レジ非アクティブ状態のまま閾値時間が経過した（換言すれば、ＭＰ非アクティブ状態からＭＰアクティブ状態に変化してから閾値時間が経過する前にレジ非アクティブ状態からレジアクティブ状態に変化しない）ことに応じて（Ｓ３０：Ｎｏ＆Ｓ２９：Ｙｅｓ）、操作部１７を通じてユーザから再開指示が入力されるまで待機する（Ｓ３３）。このときの状況は、例えば図７（Ａ）に示されるように、ユーザによって多用途トレイ３１に載置された用紙１２が、多用途トレイ３１に適切に支持されていると考えられる。再開指示は、記録指示に従って用紙１２に画像を記録する処理を再開させる指示である。ステップＳ３３の処理は、再開指示取得処理の一例である。なお、再開指示は、通信部を通じて外部装置から取得されてもよい。
【００６７】
次に、制御部１３０は、再開指示を取得した時点において（Ｓ３３：Ｙｅｓ）、レジ非アクティブ状態であることに応じて（Ｓ３４：Ｎｏ）、多用途トレイ３１に支持された用紙１２に画像を記録する（Ｓ３５）。このときの状況は、例えば図７（Ａ）に示されるように、多用途トレイ３１に用紙１２が適切に支持されており、且つ手差しトレイ２２に用紙１２が支持されていないと考えられる。ステップＳ３５の処理内容は、ステップＳ２６の処理と共通する。
【００６８】
一方、制御部１３０は、再開指示を取得した時点において（Ｓ３３：Ｙｅｓ）、レジアクティブ状態であることに応じて（Ｓ３４：Ｙｅｓ）、手差しトレイ２２に支持された用紙１２を除去することを報知する（Ｓ３６）。このときの状況は、例えば、多用途トレイ３１に用紙１２が適切に支持された複合機１０（図７（Ａ）参照）の手差しトレイ２２に対して、再開指示が入力される前後において用紙１２が載置されたことが考えられる。ステップＳ３６の処理は、再開時シート除去報知処理の一例である。
【００６９】
制御部１３０は、レジアクティブ状態からレジ非アクティブ状態に変化するまで（Ｓ３７：Ｎｏ）、或いは記録指示がキャンセルされるまで（図示省略）、再開時シート除去報知処理を繰り返し実行する。そして、制御部１３０は、レジ非アクティブ状態からレジアクティブ状態に変化したことに応じて（Ｓ３７：Ｙｅｓ）、多用途トレイ３１に支持された用紙１２に画像を記録する（Ｓ３５）。ステップＳ３５の処理内容は、ステップＳ２６の処理と共通する。
【００７０】
［本実施形態の作用効果］
上記の実施形態によれば、用紙１２が多用途トレイ３１を越えてレジストセンサ１２０の設置位置に到達したことを検知して、当該用紙１２の除去をユーザに促すことができる。その結果、待機状態においてレジアクティブ状態であれば、手差しトレイ２２に用紙１２が支持されていると判断できる。このように、各トレイに対する用紙１２の載置状態を把握することにより、各用紙１２を適切に搬送することができる。なお、閾値時間は、ユーザによって多用途トレイ３１に挿入された用紙１２が分離片３１Ａを越えてレジストセンサの設置位置に到達するのに必要な時間（例えば、０．５秒〜２秒程度）を考慮して設定される。
【００７１】
特に、図７（Ｂ）に示されるように、多用途トレイ３１に支持された複数の用紙１２が重なった状態で搬送ローラ部５４に到達した場合において、ＭＰ用紙検出処理が実行されずに搬送ローラ部５４が駆動されると、当該用紙１２が重送される。すなわち、上記の実施形態におけるＭＰ用紙検出処理は、積層された複数の用紙１２を支持可能なトレイに対して実行されることにより、特に有利な効果を奏する。但し、用紙１２を１枚だけ支持可能なトレイに対してＭＰ用紙検出処理を適用することは妨げられない。
【００７２】
また、上記の実施形態によれば、給送元情報に示されるトレイと異なるトレイから用紙１２が給送されるのを抑制できる。例えば、多用途トレイ３１の奥まで挿入されすぎた用紙１２を、手差しトレイ２２に支持された用紙１２と誤認識して搬送することを抑制できる。その結果、用紙１２を正確な位置に搬送できると共に、異なるサイズ或いは異なる種類（普通紙、光沢紙等）の用紙１２に画像が記録されることを抑制できる。すなわち、画像記録品質の低下を抑制することができる。
【００７３】
また、図示は省略するが、制御部１３０は、図６、図８、及び図１０に示される各処理において、多用途トレイ３１及び手差しトレイ２２に用紙１２が適切に載置されたことを報知してもよい。これにより、用紙１２を載置したユーザに、当該用紙１２の載置状態を認識させることができる。その結果、用紙１２の載置状態が不適切なまま画像記録処理が実行されることによるスループットの低下を抑制することができる。
【００７４】
一例として、制御部１３０は、ＭＰ用紙検出処理において、ＭＰアクティブ状態となってから閾値時間が経過するまでレジ非アクティブ状態が継続したことに応じて（Ｓ１３：Ｎｏ＆Ｓ１２：Ｙｅｓ）、多用途トレイ３１に用紙１２が適切に載置されたことを報知してもよい。他の例として、制御部１３０は、図８のステップＳ１８の前後において、手差しトレイ２２に用紙１２が適切に載置されたことを報知してもよい。さらに他の例として、制御部１３０は、画像記録処理において、ＭＰアクティブ状態となってから閾値時間が経過するまでレジ非アクティブ状態が継続したことに応じて（Ｓ３０：Ｎｏ＆Ｓ２９：Ｙｅｓ）、多用途トレイ３１に用紙１２が適切に載置されたことを報知してもよい。
【００７５】
また、上記の実施形態では、多用途トレイ３１に用紙１２が存在しない状態で多用途トレイ３１上の用紙１２に対する記録指示が入力された場合において、多用途トレイ３１に用紙１２が載置され且つ再開指示が入力されたことに応じて（Ｓ２８：Ｙｅｓ＆Ｓ２９：Ｙｅｓ＆Ｓ３３：Ｙｅｓ）、多用途トレイ３１上の用紙１２に対する画像記録が再開される例を説明したが、再開指示は省略することができる。すなわち、多用途トレイ３１に用紙１２が適切に載置されたことを検知したことに応じて（Ｓ２９：Ｙｅｓ）、多用途トレイ３１上の用紙１２に対する画像記録（Ｓ３５）が実行されてもよい。この場合、ステップＳ３４、Ｓ３６、Ｓ３７も省略することができる。
【００７６】
また、上記の実施形態では、ステップＳ１４、Ｓ３１において、多用途トレイ３１に支持された用紙１２を除去することを報知する例を説明したが、制御部１３０の処理はこれに限定されない。例えば、多用途トレイ３１に支持された用紙１２を排出する排出処理を、報知と共に或いは報知に代えて実行してもよい。この排出処理において、制御部１３０は、搬送モータ１０２を正転させて、搬送ローラ６０及び排出ローラ６２に用紙１２を排出させる。なお、この排出処理の開始時点においてレジアクティブ状態なので、制御部１３０は、少なくともレジアクティブ状態からレジ非アクティブ状態に変化するまで、搬送モータ１０２を正転させればよい。より詳細には、制御部１３０は、レジアクティブ状態からレジ非アクティブ状態に変化してから、用紙１２の後端が排出ローラ６２を確実に通過することができる量だけ搬送モータ１０２を正転させることが好ましい。
【００７７】
さらに、上記の実施形態では、搬送装置或いは画像記録装置の一例としてインクジェット記録方式のプリンタ部１１を備える複合機１０の例を説明した。しかしながら、本発明はこれに限定されず、画像記録装置の他の例として、例えば、レーザー記録方式のプリンタに本発明を適用してもよい。或いは、搬送装置の他の例として、画像読取装置において原稿を搬送するフィーダに本発明を適用してもよい。
【符号の説明】
【００７８】
１０・・・複合機
２２・・・手差しトレイ
２４・・・記録部
３１・・・多用途トレイ
３１・・・分離片
３４・・・第２給送部
５４・・・搬送ローラ部
１２０・・・レジストセンサ
１２５・・・トレイセンサ
１３０・・・制御部
【図１】
2015189547.tif 000003
【図２】
2015189547.tif 000004
【図３】
2015189547.tif 000005
【図４】
2015189547.tif 000006
【図５】
2015189547.tif 000007
【図６】
2015189547.tif 000008
【図７】
2015189547.tif 000009
【図８】
2015189547.tif 000010
【図９】
2015189547.tif 000011
【図１０】
2015189547.tif 000012